(57)【要約】【課題】放射性物質を含む焼却灰、汚泥又は土壌からなる大量の廃棄物を、簡便かつ効率的に低コストで処理することができる放射性物質含有廃棄物の処理方法及び該処理方法で適用する耐食性容器を提供する。【解決手段】本発明は、放射性廃棄物を収集してフレコンパックに収納する工程、前記のフレコンパックの１又は２以上を耐食性容器に収納する工程、前記の耐食性容器を所定の保管場所へ搬送する工程、及び前記の耐食性容器の２以上を前記の保管場所でまとめて保管する工程を含む放射性物質含有廃棄物の処理方法であって、前記のフレコンパックを収納した耐食性容器は、前記の耐食性容器と同じ形状を有する空の容器に放射性物質を含まない水、土壌又はコンクリートを充填した容器によって四方外周が囲まれた領域内で保管されることを特徴とする。前記の耐食性容器は、内部が遮蔽性材料を含有する塗料でコーテイングされるか、又は前記の遮蔽性材料を含有する合成樹脂又はコンクリートで成形される。【選択図】図１
2013160754.tif 000002
【特許請求の範囲】
【請求項１】
放射性物質を含む焼却灰、汚泥又は土壌からなる廃棄物を収集してフレコンパックに収納する工程、
前記のフレコンパックの１又は２以上を耐食性容器に収納する工程、
前記の耐食性容器を所定の保管場所へ搬送する工程、及び
前記の耐食性容器の２以上を前記の保管場所でまとめて保管する工程を含む放射性物質含有廃棄物の処理方法であって、
前記のフレコンパックを収納した耐食性容器は、前記の耐食性容器と同じ形状を有する空の容器に放射性物質を含まない水、土壌又はコンクリートを充填した容器によって、前記の保管場所の少なくとも四方外周が囲まれる領域内に保管されることを特徴とする放射性物質含有廃棄物の処理方法。
【請求項２】
前記の耐食性容器は、内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたものであることを特徴とする請求項１に記載の放射性物質含有廃棄物の処理方法。
【請求項３】
前記の耐食性容器は、Ｐｂ、Ｂａ、Ｗ、Ｃｒ、Ｃｏ、Ｃｕ、Ｆｅ、Ｍｎ、Ｍｏ、Ｓｎのの元素単位又はそれらの化合物の群から選ばれる１種以上を含有する合成樹脂又はコンクリートで成形されたものであることを特徴とする請求項１に記載の放射性物質含有廃棄物の処理方法。
【請求項４】
前記の放射性物質を含む焼却灰、汚泥又は土壌からなる廃棄物を収集してフレコンパックに収納する工程の後、前記フレコンパックの放射線量の測定を行い、前記放射線量が所定の放射線許容量（８０００ベクレル）を超えるフレコンパックを選択区別して、該選択区別されたフレコンパックだけをまとめて優先的に前記の耐食性容器に収納することを特徴とする請求項１〜３の何れかに記載の放射性物質含有廃棄物の処理方法。
【請求項５】
前記のフレコンパックの１又は２以上を耐食性容器に収納する工程の後に、さらに前記の耐食性容器の中に投入口から放射性物質を含まない水、土壌又はコンクリートを注入して、次いで前記投入口を閉塞する工程を含むことを特徴とする請求項１〜４の何れかに記載の放射性物質含有廃棄物の処理方法。
【請求項６】
前記のフレコンパックを収納した耐食性容器は、前記の耐食性容器と同じ形状を有する空の容器に放射性物質を含まない水を充填した容器によって前記の保管場所の少なくとも四方外周が囲まれる領域内に保管されることを特徴とする請求項１〜５の何れかに記載の放射性物質含有廃棄物の処理方法。
【請求項７】
前記の保管場所の少なくとも四方外周に設置される前記の放射性物質を含まない水を充填した容器の中から、最外周に設置される前記の容器の少なくとも１個を定期的に抜き取って、該容器に含まれる水の放射線量を測定することによって、保管期間中に発生するおそれのある放射線の周辺への飛散又は漏洩を継続的にモニタリングすることを特徴とする請求項６に記載の放射性物質含有廃棄物の処理方法。
【請求項８】
前記の放射線物質を含む廃棄物が、前記の焼却灰として集塵される焼却飛灰であることを特徴とする請求項１〜７の何れかに記載の放射性物質含有廃棄物の処理方法。
【請求項９】
放射性物質を含む焼却灰、汚泥又は土壌からなる廃棄物を収集してフレコンパックに収納する工程、
前記のフレコンパックの１又は２以上を耐食性容器に収納する工程、
前記の耐食性容器を所定の保管場所へ搬送する工程、及び
前記の耐食性容器の２以上を前記の保管場所でまとめて保管する工程を含む放射性物質含有廃棄物の処理方法で使用する前記の耐食性容器であって、
前記の耐食性容器は、合成樹脂、金属又はコンクリートによって形成され、内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたもの、又はＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する合成樹脂又はコンクリートで成形されたものであることを特徴とする耐食性容器。
【請求項１０】
請求項９に記載の耐食性容器は、周面の一つに前記のフレコンパックを収納するための閉塞可能な投入口と、上下面に互いに積重ね係合可能な脚と該脚を受け入れる（挿入する）ことができる窪みと、前記投入口が設けられていない周面及び下面（底面）に、強度の向上又は前記の耐食性容器の釣り上げのために設けた窪みとを有することを特徴とする耐食性容器。
【請求項１１】
前記の耐食性容器が、合成樹脂、金属又はコンクリートによって形成され、内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたものであることを特徴とする請求項１０に記載の耐食性容器。
【発明の詳細な説明】
【技術分野】
【０００１】  本発明は、放射性物質に汚染された焼却灰、汚泥又は土壌を廃棄物として隔離処理するための放射性物質含有廃棄物の処理方法及び該処理方法で使用する耐食性容器に関する。
【背景技術】
【０００２】  従来から、放射性廃棄物は、廃棄物容器にセメントやモルタル等の凝固材を投入して固化したものを隔離した状態で保管又は保存する方法によって処理されている（例えば、特許文献１を参照）。また、特許文献２及び３には、放射性廃棄物を封入した容器の長期保管による腐食や自壊作用を抑制するため、廃棄物容器をプラスチック樹脂よりなる止水容器内に設置したり、密閉した容器を鉄筋コンクリートで被覆する方法が提案されている。【０００３】  放射性廃棄物を含む廃棄物容器は、特許文献４に記載されているように、放射性レベルに応じて保管方法と保管場所が異なる。例えば、中低レベルの放射性廃棄物は廃棄物容器をコンクリート製の密閉室内に収納して該密閉室の周囲をベントナイト混合土で被覆して覆土を施していることが記載されている。また、特許文献５には、坑道内に載置される放射性廃棄物にベントナイト系材料を吹き付けて止水層を設けることによって、大掛かりな装置を要することが無く、しかも狭隘な部分にも容易に止水層を形成できる廃棄物処理施設の造成方法が開示されている。【０００４】  放射性廃棄物としては、上記のような原子力発電関連施設だけではなく、何らかの原因で放射性物質が該原子力発電施設から大量に外部へ漏れたり飛散したりすることによって付着したゴミの焼却灰（焼却後の集塵飛灰も含む）、汚泥（下水道汚泥も含む）又は土壌等がある。これらの放射性廃棄物は、隔離層の設置による埋め立てや隔離層を底面において上部を覆土する方法等が提案されている。その中で、焼却灰からなる廃棄物は、固化材によって固化物とされたものを、放射線量に応じて、隔離層の設置による埋立て、コンクリート等の耐久性のある容器等による埋立て、又は雨水侵入を防止するための屋根付き処分場での埋立てによって処理する方法が提案されている。【０００５】  一方、放射線廃棄物処理に使用する廃棄物容器は、主に金属やコンクリート等で作製されるが、それ以外にも様々な材質や形状のものが提案されている。例えば、特許文献６には、低コストと軽量化のために合成樹脂による筒型容器が開示されている。また、特許文献７には、炭素鋼の板からなる容器本体内の底部、側部及び上部に角型の遮蔽版が組み立てられた角型形状の放射性廃棄物の処分容器が開示されている。そして、前記の特許文献６及び７に記載の容器は、積重ねができるように形状と構造が工夫されている。
【先行技術文献】
【特許文献】
【０００６】
【特許文献１】特開昭６０−１５０８７９号公報
【特許文献２】特開２０００−２４６１１号公報
【特許文献３】特開平８−４７６７９号公報
【特許文献４】特開平９−２８８２００号公報
【特許文献５】特開２００７−５０３８１号公報
【特許文献６】特開平１１−３１９７４９号公報
【特許文献７】特開２００３−３４４５８８号公報
【発明の概要】
【発明が解決しようとする課題】
【０００７】  放射性物質を含む焼却灰、汚泥又は土壌からなる廃棄物は大量に排出されるために、処理重量と処理体積が膨大である。そのため、これらの放射性廃棄物を人家や農地から隔離して保管、保存するための広大な場所を確保することが困難になる。加えて、大量の放射性廃棄物を処理するためには、迅速で、且つ効率的な処理が必要であり、処理に要する大幅なコスト低減が求められる。【０００８】  上記の特許文献１に記載の方法は、放射性廃棄物を固化するための処理工程が必要である。また、前記の特許文献２及び３に記載の方法では、腐食や自壊作用を抑制するために特殊な廃棄物容器を使用する必要がある。それによって処理に要する時間とコストが増大するため、これらの方法は大量の放射性廃棄物の処理方法として不適である。【０００９】  また、上記の特許文献４及び５の記載の処理方法又は従来から提案されている様々な処理方法は、放射性廃棄物の完全な隔離という技術課題に着目して提案されたものであり、処理の迅速化と処理費用の低減という技術課題はほとんど認識されてこなかった。【００１０】  一方、上記の特許文献６に記載の廃棄物容器は、低レベル核廃棄物を加熱・圧縮・固化・成形して充填するために使用するものであり、廃棄物投入のための処理が煩雑となる。さらに、放射性廃棄物からの放射線に対する遮蔽効果が十分な構造とは言えず、低〜中レベルの核廃棄物の容器として使用するには改良が必要である。また、上記の特許文献７に記載の容器は内部に角型の遮蔽版を設ける必要があり、コストアップが避けられず、大量の放射性廃棄物を収納できるような大容積の容器を作製するのが難しい。そして、上記の特許文献６及び７に記載の発明は容器の強度を向上するための構造について何等考慮がなされておらず、大容積の容器を低コストで得ることができるものなのか否かが不明である。加えて、保管、保存場所の面積を低減するために廃棄物容器を２個以上で積重ねる場合に、積重ね作業を簡便に、且つ迅速に行うことができるような構造についても十分な配慮がなされていない。【００１１】  本発明は、係る問題を解決するためになされたものであり、放射性物質を含む焼却灰、汚泥又は土壌からなる大量の廃棄物を収集した後、隔離する場所まで搬送して、その場所に保管を行う際に、放射線の外部への漏れや飛散を防止しながら、大量の放射性廃棄物を、限られた保管場所を使って、簡便かつ効率的に低コストで処理することができる放射性物質含有廃棄物の処理方法及び該処理方法で使用する耐食性容器を提供することを目的とする。
【課題を解決するための手段】
【００１２】  本発明者は、大量の放射性含有廃棄物の処理方法について、収集工程、廃棄物容器への収納工程、搬送工程、及び保管工程について総合的に検討を行った。その結果、フレコンパック及びそのフレコンパックを収納する耐食性容器を用いる収集方法、及び放射性廃棄物を保管場所に載置する際に、前記耐食性容器と同じ形状の容器を隔離用治具として利用する保管方法を採用し、さらに、前記の耐食性容器について材質及び構造を最適化することによって課題を解決できることを見出して本発明に到った。【００１３】  すなわち、本発明の構成は以下の通りである。
（１）本発明は、放射性物質を含む焼却灰、汚泥又は土壌からなる廃棄物を収集してフレコンパックに収納する工程、前記のフレコンパックの１又は２以上を耐食性容器に収納する工程、前記の耐食性容器を所定の保管場所へ搬送する工程、及び前記の耐食性容器の２以上を前記の保管場所でまとめて保管する工程を含む放射性物質含有廃棄物の処理方法であって、前記のフレコンパックを収納した耐食性容器は、前記の耐食性容器と同じ形状を有する空の容器に放射性物質を含まない水、土壌又はコンクリートを充填した容器によって、前記の保管場所の少なくとも四方外周が囲まれる領域内に保管されることを特徴とする放射性物質含有廃棄物の処理方法を提供する。
（２）本発明は、前記の耐食性容器の内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたものであることを特徴とする前記（１）に記載の放射性物質含有廃棄物の処理方法を提供する。
（３）木発明は、前記の耐食性容器が、Ｐｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する合成樹脂又はコンクリートで成形されたものであることを特徴とする前記（１）に記載の放射性物質含有廃棄物の処理方法を提供する。
（４）本発明は、前記の放射性物質を含む焼却灰、汚泥又は土壌からなる廃棄物を収集してフレコンパックに収納する工程の後、前記フレコンパックの放射線量の測定を行い、前記放射線量が所定の放射線許容量（８０００ベクレル）を超えるフレコンパックを選択区別して、該選択区別されたフレコンパックだけをまとめて優先的に前記の耐食性容器に収納することを特徴とする前記（１）〜（３）の何れかに記載の放射性物質含有廃棄物の処理方法を提供する。
（５）本発明は、前記のフレコンパックの１又は２以上を耐食性容器に収納する工程の後に、さらに前記の耐食性容器の中に投入口から放射性物質を含まない水、土壌又はコンクリートを注入して、次いで前記投入口を閉塞する工程を含むことを特徴とする前記（１）〜（４）の何れかに記載の放射性物質含有廃棄物の処理方法を提供する。
（６）本発明は、前記のフレコンパックを収納した耐食性容器は、前記の耐食性容器と同じ形状を有する空の容器に放射性物質を含まない水を充填した容器によって前記の保管場所の少なくとも四方外周が囲まれる領域内に保管されることを特徴とする前記（１）〜（５）の何れかに記載の放射性物質含有廃棄物の処理方法を提供する。
（７）本発明は、前記の保管場所の少なくとも四方外周に設置される前記の放射性物質を含まない水を充填した容器の中から、最外周に設置される前記の容器の少なくとも１個を定期的に抜き取って、該容器に含まれる水の放射線量を測定することによって、保管期間中に発生するおそれのある放射線の周辺への飛散又は漏洩を継続的にモニタリングすることを特徴とする前記（６）に記載の放射性物質含有廃棄物の処理方法を提供する。
（８）本発明は、前記の放射線物質を含む廃棄物が、前記の焼却灰として集塵される焼却飛灰であることを特徴とする前記（１）〜（７）の何れかに記載の放射性物質含有廃棄物の処理方法を提供する。
（９）本発明は、放射性物質を含む焼却灰、汚泥又は土壌からなる廃棄物を収集してフレコンパックに収納する工程、前記のフレコンパックの１又は２以上を耐食性容器に収納する工程、前記の耐食性容器を所定の保管場所へ搬送する工程、及び前記の耐食性容器の２以上を前記の保管場所でまとめて保管する工程を含む放射性物質含有廃棄物の処理方法で使用する前記の耐食性容器であって、前記の耐食性容器は、合成樹脂、金属又はコンクリートによって形成され、内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたもの、又はＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する合成樹脂又はコンクリートで成形されたものであることを特徴とする耐食性容器を提供する。
（１０）本発明は、前記（９）に記載の耐食性容器が、周面の一つに前記のフレコンパックを収納するための閉塞可能な投入口と、上下面に互いに積重ね係合可能な脚と該脚を受け入れることができる窪みと、前記投入口が設けられていない周面及び下面に、強度の向上又は前記の耐食性容器の釣り上げのために設けた窪みとを有することを特徴とする耐食性容器を提供する。
（１１）本発明は、前記の耐食性容器が、合成樹脂、金属又はコンクリートによって形成され、内部がＰｂ、Ｂａ、Ｗ、Ｃｒ、Ｃｏ、Ｃｕ、Ｆｅ、Ｍｎ、Ｍｏ、Ｓｎの元素単位又はそれらの化合物の群から選ばれる１種以上を含有する樹脂塗料又はコンクリート塗料でコーテイングされたものであることを特徴とする前記（１０）記載の耐食性容器を提供する。
【発明の効果】
【００１４】  本発明によれば、放射性物質を含む焼却灰、汚泥又は土壌からなる大量の廃棄物を簡便に収納できるフレコンパックを使用して、該フレコンパックを放射線遮蔽能を有する耐食性容器に収納した後、保管場所まで搬送する工程を採用することによって、安全性が高く、簡便で迅速な廃棄物の収集を行うことができる。さらに、放射性廃棄物を有する耐食性容器を保管場所に載置する際に、前記耐食性容器と同じ形状を有し、放射性物質を含まない水、土壌又はコンクリートを充填した容器を保管場所の周辺に配置することによって放射性廃棄物の隔離保管を行うため、保管作業の迅速化と効率化を図ることができる。さらに、放射性廃棄物の保管時に前記耐食性容器の積み上げによる放射性廃棄物の積み重ね保管ができることから、保管スペースを従来よりも狭小にすることができるという効果が得られる。それによって、大量の廃棄物を処理できる場所を十分に確保することができるようになり、結果的に、安全の高い放射性物質含有廃棄物の処理方法を低コストで構築できることになる。【００１５】  また、本発明による耐食性容器は、放射線遮蔽能を有する材料で作製されており、大容量の容器として十分な強度を有し、且つ、搬送と積み重ねが容易にできる容器構造であるため、安全性が高く、取扱い性と耐久性に優れる。したがって、本発明による耐食性容器は、本発明のように、安全が高く、低コストの放射性物質含有廃棄物の処理方法において優先的に使用される。
【図面の簡単な説明】
【００１６】
【図１】本発明による放射性物質含有廃棄物の処理方法の工程を示す図である。
【図２】本発明による耐食性容器の構造を示す図である。
【図３】本発明による耐食性容器を左側面から見た断面図である。
【図４】本発明による放射性物質含有廃棄物の処理方法において、別の形態の保管方法を示す図である。
【発明を実施するための形態】
【００１７】  本発明において、放射性物質含有廃棄物は、具体的に放射性物質を含む焼却灰、汚泥又は土壌からなる廃棄物である。焼却灰には、ごみや不用品として廃棄されたものを焼却したときに残る灰だけではなく、焼却時に揮散や飛散する灰を集塵して回収される焼却灰も含まれる。汚泥には、人家、道路、田畑、山林等に散在する汚泥だけではなく、下水道から排出される汚泥が含まれる。また、土壌は、人家、道路、田畑、山林等に存在し、放射性物質が付着又は浸透した土壌から、放射性物質が含まれる表層土壌を除去して回収したものである。
【００１８】  次に、本発明の実施の形態を説明する。図１に、本発明による放射性物質除染溶液を用いた放射性物質除染方法の工程を示す。
【００１９】  図１の（ａ）に示すように、収集された放射性物質を含む焼却灰、汚泥又は土壌１は、各地の清掃工場において、ストックしているホッパー２からフレコンパック３に詰められて収納される。その際、ホッパー２の出口とフレコンパック３の間を目貼りして焼却灰、汚泥又は土壌の飛散と作業員の被爆を防止する処置が重要になる。特に、焼却飛灰の収集及び収納を行う場合は、飛散や漏れが発生しやすいため、目貼り部分４で厳重に目貼りを行う必要がある。
【００２０】  フレコンパックは、例えば１ｍ３の容量であるが、実際に焼却灰、汚泥又は土壌を収納するには、約半分の４００〜５００ｋｇとなる。図１の（ｂ）に示すように、フレコンパックに収納した放射性物質含有廃棄物は放射線量が我が国の埋立基準濃度として提案されている１ｋｇ当たり８０００ベクレルを超えるか、又はその値以下であるかの判定のために放射線計測を行う。放射線量が８０００ベクレルを超える高放射能レベル廃棄物５について、図１の（ｃ）に示すように、例えば、高密度ポリエチレン（ＨＤＰＥ）製の耐食性容器内に２段重ねで収納する。この耐食性容器の大きさは１ｍ×１ｍ×１ｍｍで、厚みは３ｍｍであり、内容積は１．０ｍ３となる。本発明では、前記の耐食性容器に収納するフレコンパックの数は２つに限定されない。収納するフレコンパック数は、１個又は３個以上でも良い。また、放射線量が８０００ベクレルを超える廃棄物を収納するフレコンパック５だけではなく、必要に応じて、８０００ベクレル以下の低レベル放射能廃棄物６を収納するフレコンパックについても前記の耐食性容器７に収納することができる。
【００２１】  耐食性容器７としては、ＨＤＰＥ製の容器内部に放射線遮蔽能を有する物質、例えば、硫酸バリウムの微粒子１００重量部を樹脂塗料１００重量部と均一に混合した塗料をスプレー装置を用いて吹き付け法によってコーテイングしたものを使用することができる。コーテイング厚さは、乾燥して固化した状態で１〜５０ｍｍの任意の範囲に調整できるが、ここでは３ｍｍの厚さでコーテイング層を形成した。このようにして内部にコーテイング層を形成したＨＤＰＥ製の容器は、放射線量が８０００ベクレルを超える廃棄物を収納するフレコンパック２個を収納した場合に、コーテイングしないＨＤＰＥ容器よりも放射線量を７０％少なくすることができることが分かった。本発明においては、バリウム（Ｂａ）の他にも、放射線遮蔽能を有するＰｂ、Ｗ、Ｃｒ、Ｃｏ、Ｃｕ、Ｆｅ、Ｍｎ、Ｍｏ、Ｓｎ元素単位又はそれらの化合物の群から選ばれる１種以上を含有する樹脂塗料又はコンクリート塗料でコーテイングされたものを使用することができる。放射線遮蔽能を有する金属化合物としては、硫酸バリウムの他にも、Ｐｂ、Ｂａ、Ｗ、Ｃｒ、Ｃｏ、Ｃｕ、Ｆｅ、Ｍｎ、Ｍｏ、Ｓｎの酸化物やこれら金属の水酸化物が挙げられる。
【００２２】  また、耐食性容器７としては、内部がコーテイングされたもの以外にも、上記のＰｂ、Ｂａ、Ｗ、Ｃｒ、Ｃｏ、Ｃｕ、Ｆｅ、Ｍｎ、Ｍｏ、Ｓｎ元素単位又はそれらの化合物の群から選ばれる１種以上を含有する樹脂又はコンクリートで成形した耐食性容器を使用しても良い。これらの耐食性容器は、例えば、酸化バリウム、酸化鉛又は酸化タングステン等の金属化合物をポリエチレン（ＰＥ）、ポリプロピレン（ＰＰ）、ポリフェニレンスルフィド（ＰＰＳ）、ポリブチレンテレフタレート（ＰＢＴ）等の熱可塑性樹脂に溶融混合した後、射出成型機によって容器形状に成形して得られる。また、熱可塑性樹脂の代わりに、エポキシ樹脂、フェノール樹脂、ユリア樹脂又は不飽和ポリエステル樹脂等の熱硬化性樹脂を用いて、前記の金属化合物と室温又は加温下で均一に混合した後、容器形状の成形型に注入して熱硬化することによって成形することもできる。
【００２３】  本発明においては、材質の選択幅が広がるだけではなく、様々な形状に対応できて製造コストを低減できるという点で、前者のコーテイング法によって得られる耐食性容器が好適である。前者のコーテイング法は、後者の放射線遮蔽能を有する金属を含有する樹脂又はコンクリートで成形した耐食性容器に適用しても良い。
【００２４】  前記の耐食性容器にフレコンパックを収納した後、フレコンパック投入口側の蓋を閉じ、容器収納側と蓋とのジョイント部を目貼りして（目貼り部分４）、雨水の侵入と内部からの放射線の漏洩を防止する。本発明では、前記のフレコンパックの１又は２以上を耐食性容器に収納した後に、さらに前記の耐食性容器の中に投入口から放射性物質を含まない水、土壌又はコンクリートを注入して、次いで前記投入口を目貼りして閉塞する工程を行っても良い。それによって耐食性容器の気密性と強度が増し、放射性廃棄物から周辺への放射線の飛散や漏洩を防止する効果が担保される。
【００２５】  本発明は、図１の（ｃ）に示すように、前記フレコンパックの放射線量の計測を行った後、前記フレコンパックを前記の放射線量に応じて選択区別して前記の耐食性容器に収納するときに、前記の測定されたフレコンパックの放射線量に関する情報及び／又は該放射線量の人体への影響に関するコメントを、前記の耐食性容器７の外側に表示部８を設けて、その部分に表示してもよい。それによって、フレコンパックを収納した耐食性容器がどういった放射線量を有するのかが処理工程中で明確に把握できるため、管理と取扱いが非常に容易になる。
【００２６】  図１の（ｄ）に示すように、上記のフレコンパックを収納した耐食性容器の搬送の際は、耐食性容器の下部に搬送用のリフトの詰め９が入るスペースを設けて、搬送トラックに積み込みが容易な構造の容器とする。ここで使用する耐食性容器としては、図２に具体的な構造を示すように、周面の一つに前記のフレコンパックを収納するための投入口（図示せず）、及び該投入口を閉塞するための蓋１４と、上下面に互いに積重ね係合可能な脚１５と該脚を受け入れることができる窪み１６と、前記投入口が設けられていない周面及び下面（底面）に、強度の向上のため又は前記の耐食性容器の釣り上げのために設けた窪み１７とを有するものを使用するのが好適である。図２に示す構造は、容器を大容量にしたときに強度を十分に保持できるだけではなく、耐食性容器の搬送及び後の工程で述べる耐食性容器の積重ねの工程において、取扱い性を大幅に向上させるために必要な機能を備えている。
【００２７】  本発明の耐食性容器７は、図２に示すように、蓋１４の表面が平面であることが好ましい。これは、蓋の一部が突起を有すると、フレコンパックを投入するとき又は耐食性容器を積み重ねるときに前記の突起が干渉物となって、フレコンパックの破損や耐食性容器の積層が不安定になるという問題を防止するためである。そこで、本発明においては、耐食性容器７の投入口から蓋１４が簡単に外れないような構造を採用する必要がある。本発明の蓋の構造の一例を図３に示す。図３は、図２に示す本発明における耐食性容器を左側面から見た断面図であり、図３の（ａ）は耐食性容器の本体に蓋をジョイントした直後を、また、図３の（ｂ）は目貼りした状態を示す図である。図３の（ａ）に示すように、本発明の耐食性容器は、内部にコーテイング層１９が形成されており、蓋１４が投入口１８とスナップ方式でジョイントするような構造を有する。その後、図３の（ｂ）に示すように、目貼り部分４に目貼り処理が施される。本発明においては、目貼り処理の代わりに、加熱や振動による溶着又は溶接等の方法によって耐食性容器の本体と蓋を完全に閉塞しても良い。このような構造を採用することによって、耐食性容器７の搬送や保管の際に、フレコンパック内の廃棄物が漏洩するのを防止することができる。
【００２８】  上記のフレコンパックを収納した耐食性容器７の搬送は、図１の（ｅ）に示すように、例えば１０トン積みのトラック１０で行われる。ここでは、耐食性容器が上記のＨＤＰＥのプラスチック製であるため、１０トン積みのトラック１０で８〜１０個の積載が可能である。一方、耐食性容器としてコンクリート製容器を用いた場合は、重量の点から２個の積載が限度である。耐食性容器が金属製の場合も、積載個数をコンクリートの場合よりも多くすることができる。このように、プラスチック製又は金属製の耐食性容器は費用対効果に優れるが、特に軽量化の効果が大きいプラスチック製の耐食性容器が好適である。なお、本発明において、搬送時における放射線の飛散や漏洩を確実に防止することを重要視する場合にはコンクリート製を用いても良い。
【００２９】  上記の耐食性容器の搬送は、放射性廃棄物を収納したフレコンパックを、さらに耐食性容器に密封した形態をとっているため、大気汚染や搬送経路の住民への被爆や健康被害がなく、従来の搬送方法に比較して安全性が担保される。特に、放射性廃棄物として放射線濃度が高く、飛散しやすい焼却飛灰の処理においては有効な方法である。
【００３０】  搬送された放射性廃棄物は、セシウム等の放射性物質の濃度が、上記で述べたように１ｋｇ当たり８０００ベクレルを超える場合、隔離された最終処分場に埋葬されるか、仮置きの何れかになる。仮置きの場合、上記に述べたように、耐食性容器としてＰｂ、Ｗ、Ｃｒ、Ｃｏ、Ｃｕ、Ｆｅ、Ｍｎ、Ｍｏ、Ｓｎ元素単位又はそれらの化合物の群から選ばれる１種以上を含有する樹脂塗料又はコンクリート塗料でコーテイングされたものを使用することによって、放射線の低減を図り、放射線の廃部への飛散や漏洩を最小限に食い止める処置をとることができる。この場合、Ｐｂ、Ｂａ、Ｗ、Ｃｒ、Ｃｏ、Ｃｕ、Ｆｅ、Ｍｎ、Ｍｏ、Ｓｎ元素単位又はそれらの化合物の群から選ばれる１種以上を含有する樹脂又はコンクリートで成形した耐食性容器を使用しても良い。
【００３１】  図１の（ｆ）に示すように、放射性廃棄物を収納し密封した耐食性容器を仮置きする場合は、耐食性容器７を２段以上に積重ねた後、仮置きの周辺に前記の耐食性容器と同じ形状を有する空の容器に放射性物質を含まない水、土壌又はコンクリートを充填した容器１１を敷設する。その場合、積層する耐食性容器の最上部及び底部には、それぞれ放射線遮蔽用カバー１２及び防止シート１３を配置する。その後、盛り上をして放射線の遮蔽を確実なものとする。本発明においては、前記の放射線遮蔽用カバー及び防止シートの代わりとして、少なくとも何れか一方に前記の放射性物質を含まない水、土壌又はコンクリートを充填した耐食性容器を配置しても良い。このように、本発明は、空間線量率や地下水の汚染に対して、フレコンパックだけの仮置きと異なり、二重三重に放射線を遮断しているため、放射線の継続的なモニタリングを省略できる利点がある。
【００３２】  図４は、本発明による放射性物質含有廃棄物の処理方法において、別の形態の保管方法を示す図である。図４に示すように、耐熱性容器７を上下で互い違いで設置することによって、積み重ねた耐食性容器の固定を図１の（ｆ）に示す保管方法よりも堅牢なものとすることができる。
【００３３】  本発明は、仮置きの周辺に配置する耐食性容器を軽量化すれば、取扱い性と作業性の大幅な向上を図ることができるため、放射性物質を含まない水を充填した耐食性容器を配置することが好ましい。
【００３４】  また、前記の保管場所の少なくとも四方外周に設置される前記の放射性物質を含まない水を充填した容器の中から、最外周に設置される前記の容器の少なくとも１個を定期的に抜き取って、該容器に含まれる水の放射線量を測定することによって、保管期間中に発生するおそれのある放射線の周辺への飛散又は漏洩を継続的にモニタリングすることができる。本発明による処理方法は、通常は放射線のモニタリングを省略できる利点を有するが、安全確認のために、放射性廃棄物による放射線の飛散や漏洩をチェックする必要が生じた場合には、この方法によって継続的なモニタリングを行うことができる。
【００３５】  以上のように、本発明による放射性物質含有廃棄物の処理方法は、大気汚染や搬送経路の住民への被爆や健康被害がなく、従来の搬送方法に比較して安全性が担保される。さらに、作業性と取扱い性に優れるため、大量の放射性廃棄物を簡便かつ効率的に低コストで処理することができ、加えて、隔離保管のための場所のスペースを従来の方法よりも狭小にすることができる。また、本発明による耐食性容器は、放射線遮蔽能だけではなく、強度の確保と搬送時の取扱い性や作業性の向上を実現できる構造を有することから、安全で低コストの放射線物質含有廃棄物の処理方法において有用な治具となる。
【符号の説明】
【００３６】１・・・放射性物質含有廃棄物、２・・・ホッパー、３・・・フレコンパック、４・・・目貼り部分、５・・・高放射能レベル廃棄物、６・・・低放射能レベル廃棄物、７・・・耐食性容器、８・・・表示部、９・・・リフトの詰め、１０・・・トラック、１１・・・水、土壌又はコンクリートを充填した耐食性容器、１２・・・放射線遮蔽用カバー、１３・・・防水シート、１４・・・蓋、１５・・・係合可能な脚、１６・・・脚を受け入れることができる窪み、１７・・・強度向上用のため又は耐食性容器の釣り上げのために設けた窪み、１８・・・投入口、１９・・・コーテイング層。
【図１】
2013160754.tif 000003
【図２】
2013160754.tif 000004
【図３】
2013160754.tif 000005
【図４】
2013160754.tif 000006